(57)【要約】本発明は、偏向のためのエネルギーが減少される、陰極線管（１４）用の偏向ヨーク（１０）に関する。このことは、フェライトコア（１０）とフレームコイルのセット（１８）との間に生じる空隙（５２，５４）に磁性材料（５６）を供給することによって実行される。磁性材料（５６）は、予め形成された挿入物（９０）に含まれ、さらに、ゴム又はプラスチック材料を有していてもよい。このことにより、磁性材料を加える清潔な方法がもたらされる。
2004529471.tif 000002
【特許請求の範囲】
【請求項１】
陰極線管用の偏向ヨークであって、前記偏向ヨークが、
ライン偏向コイルのセットと、
前記ライン偏向コイルのセットを囲み、ワイヤストランドを有すると共に前記ワイヤストランド間に第１の空隙スペースを備えるフィールド偏向コイルのセットと、
前記フィールド偏向コイルのセットを囲むフェライトコアとを有し、
前記フィールド偏向コイルのセットと前記フェライトコアとの間に第２の空隙スペースが存在する、陰極線管用の偏向ヨークにおいて、前記第１の空隙スペース及び／又は前記第２の空隙スペースが、磁性粒子を有する予め形成された挿入物で充填される陰極線管用の偏向ヨーク。
【請求項２】
前記挿入物が弾性材料を有する、請求項１に記載の陰極線管用の偏向ヨーク。
【請求項３】
第３の空隙スペースが、前記ライン偏向コイルのセットと前記フィールド偏向コイルのセットとの間にあり、前記第３の空隙スペースが、磁性粒子を有する第２の予め形成された挿入物で充填される、請求項１に記載の陰極線管用の偏向ヨーク。
【請求項４】
陰極線管と、請求項１に記載の偏向ヨークとを有する陰極線管アセンブリ。
【請求項５】
ディスプレイ装置であって、
請求項４に記載の陰極線管アセンブリと、
ビデオ信号を受信するように結合され、前記ビデオ信号に依存して、前記陰極線管にディスプレイ信号を与えると共に、前記偏向ヨークに偏向信号を与える制御電子機器と
を有するディスプレイ装置。
【請求項６】
磁性粒子を有する予め形成された挿入物であって、請求項１に記載の偏向ヨークにおいて用いられることが可能な形状をもつ、予め形成された挿入物。
【発明の詳細な説明】
【技術分野】
【０００１】
本発明は、陰極線管用の偏向ヨークであって、ライン偏向コイルのセットと、このライン偏向コイルのセットを囲み、ワイヤストランド(wire strand)を有すると共にこれらのワイヤストランド間に第１の空隙スペースを備えるフィールド偏向コイルのセットと、このフィールド偏向コイルのセットを囲むフェライトコアとを有する偏向ヨークにおいて、第２の空隙スペースが、上記フィールド偏向コイルと上記フェライトコアとの間に存在する、陰極線管用の偏向ヨークに関する。
【背景技術】
【０００２】
国際特許出願公報ＷＯ００／４４０２８は、第１の空隙スペース及び／又は第２の空隙スペースが磁性材料で充填される陰極線管用の（偏向ユニットとも呼ばれる）偏向ヨークを説明している。こうして、外部の磁気漂遊磁界が減少され、偏向コイルの感度が増加されている。
【０００３】
この磁性材料は、細かく破砕されたフェライトの小さな粒のような軟磁性粒子の充填材を含む樹脂材料を有するプラスチック変形可能な磁性材料を有してもよい。
【０００４】
上記空隙は、射出成形又はインサート成形によって充填され得る。射出成形の場合、材料を含むリザーバに圧力を作用させた後、材料はノズルから流れ出て空隙に注入される。続く加熱ステップ又は乾燥ステップを適用することによって、この材料は空隙内で固化される。別の充填方法は、インサート成形によってもたらされる。この場合、充填される対象物が専用のモールドに囲まれ、その後、空隙はかなり高い圧力の下で上記材料により充填される。
【発明の開示】
【発明が解決しようとする課題】
【０００５】
磁性材料を加える上記の両方の方法は、充填プロセスが汚いかつ扱いにくいという欠点を有する。
【０００６】
本発明の目的は、空隙が清潔かつ簡単な方法によって磁性材料で充填される、偏向ヨークを提供することにある。
【課題を解決するための手段】
【０００７】
本発明による偏向ヨークは、第１の空隙スペース及び／又は第２の空隙スペースが、磁性粒子を有する予め形成された挿入物で充填されることを特徴とする。この予め形成された挿入物を使用することによって、フェライト粒子を含むペースト複合材又は流体を加えることがもはや必要でなくなり、磁性粒子を加える非常に清潔な方法がもたらされる。
【発明を実施するための最良の形態】
【０００８】
本発明のこの態様及び他の態様は、独立請求項において規定される。
【０００９】
有利な実施例は、従属請求項において規定される。
【００１０】
本発明のこれら及び他の態様は、本明細書の以下に説明される実施例を参照して明瞭に説明されるであろう。
【００１１】
図１を参照すると、陰極線管１４のガラス製エンベロープのネック部１１とコーン部１２との間の領域で、陰極線管１４のガラス製エンベロープに取り付けられている偏向ヨーク１０が示されている。偏向ヨーク１０は、一般に円錐台形の形状のコイル支持体１５を有している。このコイル支持体は、エンベロープ表面に隣接する当該支持体の内側に、２つのライン（水平）偏向コイルのセット１７と、当該支持体の外側に、２つのフィールド（垂直）偏向コイルのセット１８とを担持しており、このフィールド偏向コイルの一つが図２に示され、上記コイルのワイヤストランド間の特に第１の空隙スペースが図示されている。
【００１２】
コイル支持体１５は、該コイル支持体に固着される偏向コイルの各セット１７及び１８と一緒に、偏向コイルアセンブリを形成する。通常、コイルアセンブリの外側の輪郭と一致する（ヨークリングとしても知られる）中空のリング形のフェライトコア２２は、アセンブリの外側に取り付けられ、該外側に固定されている。フェライトコア２２は、その前端及び後端、ベース、及び正面が、コイルアセンブリの半径方向に延在している部分の内側部を背にして配置される一方で、その後部、ネック部、及び端部が、コイルアセンブリの中間部で終わるようにされて、コイルアセンブリを囲んでいる。フェライトコア２２とフィールド偏向コイル１８との間には、第２の空隙スペース５４がある。
【００１３】
フェライトコア２２は、軟磁性材料の焼結成型体である。フェライトコア２２は、動作中、フィールド偏向コイルにより生成される、コイルの外側の磁力線を短絡させる機能を果たす。このようにして、望ましくない外部磁界は減少され、ライン偏向の感度は増加される。フェライトコア２２の存在が、磁界により充填される体積を減少させる助けにはなるけれども、第１の空隙スペース５２及び第２の空隙スペース５４における磁界は、これらのスペースを磁性材料５６で充填することによって、さらに強く減少されることが可能である。磁性材料５６は、残存磁力線をさらに短絡させる機能を果たし、この結果、外部の磁気漂遊磁界の減少が得られる。国際特許出願公報ＷＯ００／４４０２８は、空隙が射出成形又はインサート成形によって充填され得ることを開示している。いずれの場合においても、磁性材料は、高粘度流体のような状態で加えられ、後の段階において乾燥され、空隙内で固化される。これらの方法は、充填が汚いかつ扱いにくいプロセスであるという欠点を有する。
【００１４】
改善される充填方法は、 図３に示されているように、磁性材料５６を有する予め形成された挿入物９０を適用することによって得られる。予め形成された挿入物９０は、フェライト粉末と、好ましくは、ゴム又はプラスチックのような弾性特性をもつ材料との複合材を有している。この複合材は、フィールド偏向コイル１８の（内側の空所スペース内の）周りと、フェライトコア２２の内側とに嵌合する。ゴム又はプラスチックの材料特性は、フィールド偏向コイルとフェライトコアとの双方の幾何形状に対して最大限の嵌合を実現するように適応され得る。例えば、フェライトコアをその最終位置に押し込む場合、わずかに変形され得る柔らかいプラスチックが用いられることができる。この方法は清潔であると共に環境に優しく、その結果、プロセスの広がりがより少なく抑えられ、より安価な製品につながる再処理を可能にする。さらに、挿入物の長さは、フェライトコアの長さとは無関係に選択されることが可能なので、挿入物の設計において追加の自由度が得られる。
【００１５】
この挿入物は、固体の部品として具現化されてもよいが、偏向ヨークのアセンブリの間に接続される２つに分離したリング形の半分として具現化されてもよい。
【００１６】
フェライトコアのネック部を充填することによって、エネルギーの主な減少が得られるので、前部及びネック部に分割され、該ネック部により囲まれるコイルのみが磁性材料で満たされている、フェライトコアを用いることは有利である。このことにより、フェライトコアの前部が、巻き広がり(winding spread)について必要な補正を得るように、依然としてシフトされ得るという利点がもたらされる。
【００１７】
第３の空隙スペースは、フィールド偏向コイルとライン偏向コイルとの間、とりわけコイル支持体とライン偏向コイルとの間に生じる。これらの空隙スペースの形状に適合される挿入物が、磁気漂遊磁界を減少させるように、この場合においてもやはり有利に用いられてもよい。
【００１８】
図４は、陰極線管アセンブリと、ビデオ信号ＶＳを受信するように結合され、このビデオ信号ＶＳに依存して、陰極線管１４にディスプレイ信号を与えると共に、偏向ヨーク１０に偏向信号を与える制御電子機器Ｅとを有するディスプレイ装置を示している。
【００１９】
要約すると、本発明は、偏向のためのエネルギーが減少される、陰極線管１４用の偏向ヨーク１０に関する。このことは、フェライトコア１０とフィールド偏向コイルのセット１８との間に生じる空隙５２及び５４に磁性材料５６を供給することによって実行される。磁性材料５６は、予め形成された挿入物９０に含まれ、さらに、ゴム又はプラスチック材料を有していてもよい。このことにより、磁性材料を加える清潔な方法がもたらされる。
【００２０】
上述の実施例は、本発明を限定するよりむしろ例示するものであり、当業者であれば、添付の請求項の範囲から逸脱することなく、多くの代替の実施例を案出することが可能であろうことに留意する必要がある。請求項において、括弧内に記されるいかなる参照符号も請求項の範囲を限定するものとして、解釈されてはならない。動詞「有する、含む(comprise)」及びその活用形の使用は、請求項に記載されているもの以外の構成要素又はステップの存在を除外するものではない。構成要素に先行する単数表現の冠詞「a」又は「an」は、そうした構成要素の複数の存在を除外するものではない。
【図面の簡単な説明】
【００２１】
【図１】本発明による偏向ヨークの実施例を用いた陰極線管の一部を、部分断面図と、部分側面図とにより、概略的に示す。
【図２】本発明によるフィールド偏向コイルの斜視図である。
【図３】本発明による挿入物を示す。
【図４】本発明によるディスプレイ装置を示す。
【国際公開パンフレット】
2004529471.tif 000003
2004529471.tif 000004
2004529471.tif 000005
2004529471.tif 000006
2004529471.tif 000007
2004529471.tif 000008
2004529471.tif 000009
2004529471.tif 000010
2004529471.tif 000011
【国際調査報告】
2004529471.tif 000012
2004529471.tif 000013